(57)【特許請求の範囲】
【請求項１】
長方形状の大底板の対向する長辺にそれぞれ回動自在に取付けた長辺側の側板と、対向する短辺にそれぞれ回動自在に取付けた短辺側の側板とを、長辺側の一対の側板又は短辺側の一対の側板のいずれか一方側を先に倒した後にその上に他方側を倒した状態で折り畳み且つ他方側を起立させた後に一方側を起立させて箱状に組み立てる大型の折り畳みコンテナを形成し、
矩形状の小底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱状に組み立てる小型の折り畳みコンテナを形成し、
小型の折り畳みコンテナの小底板の一辺を大型の折り畳みコンテナの大底板の短辺と同一長さ又は略同一長さとするとともに小底板の他辺を大底板の長辺の１／Ｎ又は略１／Ｎとし（ここでＮは２以上の整数）、小底板の下面の外周に沿って外周垂下片を設けると共に小底板の下面の外周より少し内側に引き込んだ位置に内周突出部を設け、
大型の折り畳みコンテナの長辺側の側板の上面部の略全長及び短辺側の側板の上面部にそれぞれ突条を突設し、大型の折り畳みコンテナの長辺側の側板の上面部に突設した突条の長手方向を１／Ｎ又は略１／Ｎする位置に凹所を設け、
小底板の下面に内周突出部を周縁部とする突出底部を形成し、該突出底部の下端を外周垂下片の下端より下方に突出させ、
大底板の短辺と同一長さ又は略同一長さとなった小底板の一辺が大底板の短辺と平行となるように位置させた状態で４側板を起立させて箱状に組み立てた大型の折り畳みコンテナの上に複数の小型の折り畳みコンテナを載置し、小底板の下面に設けた外周垂下片と内周突出部との間の嵌め込み溝部を起立状態の大型の折り畳みコンテナの長辺側の側板の上面部の略全長及び短辺側の側板の上面部にそれぞれ形成した突条に嵌め込み且つ突出底部を大型の折り畳みコンテナの上開口部内に嵌め込むと共に、大型の折り畳みコンテナの長辺側の側板の上端部の凹所に隣接する小型の折り畳みコンテナの小底板の各外周垂下片のコーナ部分をそれぞれ隣接して嵌め込んで成ることを特徴とする折り畳みコンテナの積載構造。
【請求項２】
大型の折り畳みコンテナの大底板の少なくとも四隅部分及び長辺の両端間に上方に向けて支持突部を突設し、折り畳み状態の大型の折り畳みコンテナの上面に複数の小型の折り畳みコンテナを載置すると共に大底板の少なくとも四隅部分及び長辺の両端間に突設した支持突部に複数の小型の折り畳みコンテナの小底板を載設支持して成ることを特徴とする請求項１記載の折り畳みコンテナの積載構造。
【請求項３】
大型の折り畳みコンテナの各側板の内面が起立状態で大底板に対して垂直となり且つ小型の折り畳みコンテナの各側板の内面が起立状態で小底板に対して垂直となっていることを特徴とする請求項１又は請求項２記載の折り畳みコンテナの積載構造。
【発明の詳細な説明】
【０００１】
【発明の属する技術分野】
本発明は、大型の折り畳みコンテナと小型の折り畳みコンテナとを積載する折り畳みコンテナの積載構造に関するものである。
【０００２】
【従来の技術】
従来から、矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱状に組み立てる折り畳みコンテナが知られている。この折り畳みコンテナは空の状態で保管したり、運搬したりする場合には、折り畳みコンテナを折り畳んで嵩を低くした状態で複数積み重ねて保管したり、あるいは運搬したりするようになっている。
【０００３】
ところで、上記の折り畳みコンテナは、底板の大きさの異なるものが複数種類あり、これら底板の大きさが異なるものを箱状に組み立てて保管したり、運搬したり、あるいは折り畳んで保管したり、運搬したりする場合、底板の大きさが同じ大きさの折り畳みコンテナ同士を組み立てた状態で上下に複数積み重ねて保管や運搬したり、あるは折り畳んだ状態で上下に複数積み重ねて保管や運搬したりしており、このため、底板の大きさの異なる折り畳みコンテナを仕分けしてそれぞれ別々に上下に重ねる必要があり、流通コストが高くなるという問題があった。
【０００４】
そこで、本発明に至る過程で、小型の折り畳みコンテナの小底板の一辺を大型の折り畳みコンテナの大底板の短辺と同一長さ又は略同一長さとするとともに小底板の他辺を大底板の長辺の１／Ｎ又は略１／Ｎとし（ここでＮは２以上の整数）とすることで、大底板の短辺と同一長さ又は略同一長さとなった小底板の一辺が大底板の短辺と平行となるように位置させた状態で箱状に組み立てた大型の折り畳みコンテナの上に複数の小型の折り畳みコンテナの底板を隣接して載置したり、あるいは折り畳んだ大型の折り畳みコンテナの上に複数の小型の折り畳みコンテナの底板を隣接して載置することを考えた。
【０００５】
そして、大型の折り畳みコンテナ３Ａの長辺側の側板２Ａの上面に図２５に示すように上方に向けて突出する複数のずれ防止用小突起３０を設け、小型の折り畳みコンテナ３ａの小底板１ａの端部に組み立て状態の大型の折り畳みコンテナ３Ａの上に複数の小型の折り畳みコンテナ３ａを並べて載置した際にずれ防止用小突起３０に嵌め込むための嵌め込み凹部３１を形成して、これにより箱状に組み立てた状態の大型の折り畳みコンテナ３Ａの上に複数の小型の折り畳みコンテナ３ａがずれないように載置することを考えた。
【０００６】
しかしながら、箱状に組み立てた大型の折り畳みコンテナ３Ａの上に小型の折り畳みコンテナ３ａを載置するに当たっては、図２６のように大型の折り畳みコンテナ３Ａの長辺側の側板２Ａの上面の長手方向の端部上に小型の折り畳みコンテナ３ａの小底板１ａの両側端部を載せた状態で小型の折り畳みコンテナ３ａを少し傾斜させた状態で図２６矢印のようにスライドさせながら載置していくものであるが、この際、小型の折り畳みコンテナ３ａの小底板１ａ両側端部が大型の折り畳みコンテナ３Ａの長辺側の側板２Ａの上端面に設けたずれ防止用小突起３０に当たって、スライドの支障となるものであって、スムーズにスライドして載置できないという問題がある。
【０００７】
しかも、複数の小型の折り畳みコンテナ３ａを箱状に組み立てた大型の折り畳みコンテナ３Ａの上に載置するに当たり、先に一つの小型の折り畳みコンテナ３ａを載置した場合、先に載置した小型の折り畳みコンテナ３ａはずれ防止用小突起３０に嵌め込み凹部３１が嵌め込まれることで大型の折り畳みコンテナ３Ａの短辺側の側板と平行な方向においては位置決めされるが、大型の折り畳みコンテナ３Ａの長辺側の側板２Ａと平行な方向においては位置決めされないという問題があり、このため、後で載置しようとする小型の折り畳みコンテナ３ａを大型の折り畳みコンテナ３Ａに載置する際に正確に載置できないという問題がある。
【０００８】
また、従来において、折り畳み状態の大型の折り畳みコンテナの上に折り畳み状態の小型の折り畳みコンテナを載置しようとした場合、大型の折り畳みコンテナの上の折り畳み状態の側板に小型の折り畳みコンテナが載置されてしまい、載置が不安定で上下に高く積み重ねることができず、しかも側板が損傷しやすく、これらの理由により底板の大きさの異なる折り畳みコンテナを上下に混載することはできなかった。
【０００９】
【発明が解決しようとする課題】
本発明は上記の問題点に鑑みて発明したものであり、底板の大きさの異なる大型の折り畳みコンテナと小型の折り畳みコンテナとを安定して混載でき、特に、大型の折り畳みコンテナを箱状に組み立てた上に簡単且つ確実に小型の折り畳みコンテナを混載でき、また、底板の大きさの異なる大型の折り畳みコンテナと小型の折り畳みコンテナとを側板が損傷しないように混載でき、更に、箱状に組み立てた状態における内容量を十分に活用して収納できる折り畳みコンテナの積載構造を提供することを課題とするものである。
【００１０】
【課題を解決するための手段】
上記課題を達成するため本発明の折り畳みコンテナの積載構造は、長方形状の大底板１Ａの対向する長辺にそれぞれ回動自在に取付けた長辺側の側板２Ａと、対向する短辺にそれぞれ回動自在に取付けた短辺側の側板２Ｂとを、長辺側の一対の側板２Ａ又は短辺側の一対の側板２Ｂのいずれか一方側を先に倒した後にその上に他方側を倒した状態で折り畳み且つ他方側を起立させた後に一方側を起立させて箱状に組み立てる大型の折り畳みコンテナ３Ａを形成し、矩形状の小底板１ａの対向する一対の辺にそれぞれ回動自在に取付けた一対の第１の側板２ａと、対向する他の一対の辺に回動自在に取付けた一対の第２の側板２ｂとを、一対の第１の側板２ａを倒した上に一対の第２の側板２ｂを倒した状態で折り畳み且つ一対の第２の側板２ｂを起立させた後に一対の第１の側板２ａを起立させて箱状に組み立てる小型の折り畳みコンテナ３ａを形成し、小型の折り畳みコンテナ３ａの小底板１ａの一辺を大型の折り畳みコンテナ３Ａの大底板１Ａの短辺と同一長さ又は略同一長さとするとともに小底板１ａの他辺を大底板１Ａの長辺の１／Ｎ又は略１／Ｎとし（ここでＮは２以上の整数）、小底板１ａの下面の外周に沿って外周垂下片２０ａを設けると共に小底板１ａの下面の外周より少し内側に引き込んだ位置に内周突出部２１ａを設け、大型の折り畳みコンテナ３Ａの長辺側の側板２Ａの上面部の略全長及び短辺側の側板２Ｂの上面部にそれぞれ突条７Ａ、７Ｂを突設し、大型の折り畳みコンテナ３Ａの長辺側の側板の上面部に突設した突条７Ａの長手方向を１／Ｎ又は略１／Ｎする位置に凹所２３Ａを設け、小底板１ａの下面に内周突出部を周縁部とする突出底部１３ａを形成し、該突出底部１３ａの下端を外周垂下片２０ａの下端より下方に突出させ、大底板１Ａの短辺と同一長さ又は略同一長さとなった小底板１ａの一辺が大底板１Ａの短辺と平行となるように位置させた状態で４側板を起立させて箱状に組み立てた大型の折り畳みコンテナ３Ａの上に複数の小型の折り畳みコンテナ３ａを載置し、小底板１ａの下面に設けた外周垂下片２０ａと内周突出部２１ａとの間の嵌め込み溝部２２ａを起立状態の大型の折り畳みコンテナ３Ａの長辺側の側板２Ａの上面部の略全長及び短辺側の側板２Ｂの上面部にそれぞれ形成した突条７Ａ、７Ｂに嵌め込み且つ突出底部１３ａを大型の折り畳みコンテナ３Ａの上開口部内に嵌め込むと共に、大型の折り畳みコンテナ３Ａの長辺側の側板の上端部の凹所２３Ａに隣接する小型の折り畳みコンテナ３ａの小底板１ａの各外周垂下片２０ａのコーナ部分をそれぞれ隣接して嵌め込んで成ることを特徴とするものである。
【００１１】
このような構成とすることで、箱状に組み立てた大型の折り畳みコンテナ３Ａの上に複数の小型の折り畳みコンテナ３ａを載置して混載ができるものである。しかも箱状に組み立てた大型の折り畳みコンテナ３Ａの上に複数の小型の折り畳みコンテナ３ａを載置するに当たって、小型の折り畳みコンテナ３ａの底部の両端部を大型の折り畳みコンテナ３Ａの長辺側の側板２Ａの上端面に載せてスライドすることでスムーズに載置できると共に、小底板１ａの下面に設けた外周垂下片２０ａと内周突出部２１ａとの間の嵌め込み溝部２２ａを起立状態の大型の折り畳みコンテナ３Ａの側板の上端部にはめ込むと共に、大型の折り畳みコンテナ３Ａの長辺側の側板の上端部の凹所２３Ａに隣接する小型の折り畳みコンテナ３ａの小底板１ａの各外周垂下片２０ａのコーナ部分をそれぞれ隣接して嵌め込むことで、小型の折り畳みコンテナ３ａを大型の折り畳みコンテナ３Ａの長辺と平行な方向及び短辺と平行な方向のいずれの方向に対してもずれないように位置決めできるものであり、これにより、箱状に組み立てた大型の折り畳みコンテナ３Ａの上に複数の小型の折り畳みコンテナ３ａを横に隣接して載置する際に正確にずれないように位置決めして載設できるものである。また、大型の折り畳みコンテナ３Ａは口枠がないため箱状に組み立てた状態で安定して形状を保持する必要があるが、上記のように小底板１ａの下面に設けた外周垂下片２０ａと内周突出部２１ａとを起立状態の大型の折り畳みコンテナ３Ａの側板の上端部の内外にはめ込む内外嵌合であるため、口枠無しの大型の折り畳みコンテナ３Ａの組み立て状態がいっそう安定することになる。
【００１２】
また、大型の折り畳みコンテナ３Ａの大底板１Ａの少なくとも四隅部分及び長辺の両端間に上方に向けて支持突部４Ａを突設し、折り畳み状態の大型の折り畳みコンテナ３Ａの上面に複数の小型の折り畳みコンテナ３ａを載置すると共に大底板１Ａの少なくとも四隅部分及び長辺の両端間に突設した支持突部４Ａに複数の小型の折り畳みコンテナ３ａの小底板１ａを載設支持することが好ましい。このような構成とすることで、折り畳んだ大型の折り畳みコンテナ３Ａの上に複数の小型の折り畳みコンテナ３ａを積み重ねるとともに複数の各小型の折り畳みコンテナ３ａの小底板１ａの四隅部分をそれぞれ大型の折り畳みコンテナの支持突部４Ａで支持できて、安定して支持して混載ができるものである。
【００１３】
また、大型の折り畳みコンテナ３Ａの各側板の内面が起立状態で大底板１Ａに対して垂直となり且つ小型の折り畳みコンテナ３ａの各側板の内面が起立状態で小底板１ａに対して垂直となっていることが好ましい。すなわち、底板と側板とが一体化されたコンテナにおいては金型からの型抜きのために側板に傾斜が設けられていてコンテナ内の内容量を十分に活用することができないが、上記のように各側板を起立状態で底板に対して垂直となるようにすることで、箱状に組み立てた状態における内容量を十分に活用して収納できるものである。
【００１４】
【発明の実施の形態】
以下本発明の実施形態につき説明する。
【００１５】
本発明に使用する大型の折り畳みコンテナ３Ａは、図１４乃至図１９に示すようなもので、長方形状の大底板１Ａの対向する長辺にそれぞれ長辺側の側板２Ａを回動自在に取付け、対向する短辺にそれぞれ短辺側の側板２Ｂを回動自在に取付け、長辺側の一対の側板２Ａ又は短辺側の一対の側板２Ｂのいずれか一方側を先に倒した後にその上に他方側を倒した状態で折り畳み且つ他方側を起立させた後に一方側を起立させて箱状に組み立てるように構成してある。添付図面に示す実施形態では長辺側の一対の側板２Ａを倒した後に短辺側の一対の側板２Ｂをその上に倒すことで折り畳み、短辺側の一対の側板２Ｂを起立させた後に長辺側の一対の側板２Ａを起立させることで箱状に組み立てるようになっている。もちろん、短辺側の一対の側板２Ｂを倒した後に長辺側の一対の側板２Ａをその上に倒すことで折り畳み、長辺側の一対の側板２Ａを起立させた後に短辺側の一対の側板２Ｂを起立させることで箱状に組み立てるようなものであってもよい。
【００１６】
長方形状の大底板１Ａの四隅部と長辺の両端間には上方に向けて支持突部４Ａが突設してある。添付図面に示す実施形態においては大型の折り畳みコンテナ３Ａの上に小型の折り畳みコンテナ３ａを２つ載設する例を示しているので、この場合には長方形状の大底板１Ａの長辺の両端間を２等分する位置に支持突部４Ａを設けるものであり、大型の折り畳みコンテナ３Ａの上に小型の折り畳みコンテナ３ａを３つ載設する場合には長方形状の大底板１Ａの長辺の両端間を３等分する位置に支持突起４Ａを設けるものである。同様に大型の折り畳みコンテナ３Ａの上に小型の折り畳みコンテナ３ａを４つ載設する場合には長方形状の大底板１Ａの長辺の両端間を４等分する位置に支持突起４Ａを設けるものである。
【００１７】
この支持突部４Ａの上端は図１４に示すように大型の折り畳みコンテナ３Ａを折り畳んだ状態で上段の側板（図１４においては短辺側の側板２Ｂ）よりも上に突出している。また、支持突部４Ａのうち大底板１Ａの四隅部に位置する支持突部４Ａ1は上端面部の内外方向の略中間部分には平面視Ｌ字状をした嵌め込み突起６Ａ1が突設してある。また、支持突部４Ａのうち大底板１Ａの長辺に突設した支持突部４Ａ2は上端部両側に嵌め込み突起６Ａ2が形成してあり、両嵌め込み突起６Ａ2間が隙間６Ａ3となっている。
【００１８】
図１９に示すように長方形状の大底板１Ａの下面部には下面の全外周に沿って環状をした外周垂下片２０Ａを設けると共に大底板１Ａの下面の外周より少し内側に引き込んだ位置に内周突出部２１Ａを設けてあって、外周垂下片２０Ａと内周突出部２１Ａとに囲まれた部分が大底板１Ａの全外周にわたる環状をした嵌め込み溝部２２Ａとなっていている。ここで添付図面に示す実施形態においては、大底板１Ａの下面の嵌め込み溝部２２Ａに囲まれた部分が下方に突出した突出底部１３Ａとなっていてこの突出底部１３Ａの周縁部が上記内周突出部２１Ａを構成している。
【００１９】
大底板１Ａの下面部の対向する両短辺間に短辺と平行に中間溝部１１が形成してあり（添付図面に示す実施形態では両短辺の中間部分に１つの中間溝部１１が形成してある）り、中間溝部１１は嵌め込み溝部２２Ａと連続しており、また、中間溝部１１の幅は嵌め込み溝部２２Ａの幅の２倍の幅となっている。そして、前記突出底部１３Ａは中間溝部１１により長手方向に複数に分離してあり、複数に分離された突出底部１３Ａの各４隅部が載置部５Ａを構成している。
【００２０】
折り畳んだ状態の大型の折り畳みコンテナ３Ａ同士を上下に重ねた場合、下段の大型の折り畳みコンテナ３Ａの四隅部と長辺に位置する上方に向けて支持突部４Ａの上面に突設した嵌め込み突起６Ａ1と嵌め込み突起６Ａ2とにそれぞれ上段の大型の折り畳みコンテナ３Ａの下面部の外周に形成した環状をした嵌め込み溝部２２Ａが嵌め込まれて横ずれを防止し、また、下段の大型の折り畳みコンテナ３Ａの四隅部と長辺に位置する上方に向けて支持突部４Ａの上面の内側の部分に、上段の大型の折り畳みコンテナ３Ａの大底板１Ａの複数に分割された突出底部１３Ａの各４隅部の載置部５Ａがそれぞれ載置されて荷重を支えるようになっている。
【００２１】
大型の折り畳みコンテナ３Ａの一対の長辺側の側板２Ａと一対の短辺側の側板２Ｂとを起立させて箱状に組み立てた状態で、隣接する長辺側の側板２Ａの端部と短辺側の側板２Ｂの端部とは任意の接合手段により係脱自在に連結されて箱状に組み立てた状態を保持することができるようになっている。また、長辺側の側板２Ａの上面部の全長及び短辺側の側板２Ｂの上面部の略全長にはそれぞれ上面部の内面側に片寄って上方に向けて突条７Ａ、７Ｂが突設してある。上記短辺側の側板２Ｂの上面部に設けた突条７Ｂの両端部は平面視Ｌ状をしている。そして、起立状態で長辺側の側板２Ａの上端面部に設けた突条７Ａの両端部が短辺側の側板２Ｂの上端面部に設けた突条７Ｂの端部のＬ状の先端部に当接して突条７Ａ、７Ｂが平面視で箱状の大型の折り畳みコンテナ３Ａのコーナ部分においてＬ状に連続するようになっている。
【００２２】
また、長辺側の側板２Ａの上端部には長手方向を１／Ｎ又は略１／Ｎ（ここでＮは２以上の整数）する位置において上記突条７Ａを切欠して凹所２３Ａを設けてある（ここで、大型の折り畳みコンテナ３Ａの上に小型の折り畳みコンテナ３ａを２つ載設する場合には上記Ｎが２、３つ載設する場合にはＮが３……となる）。
【００２３】
大型の折り畳みコンテナ３Ａを箱状に組み立てた状態で上下に積み重ねた場合、下段の大型の折り畳みコンテナ３Ａの上開口部に上段の大型の折り畳みコンテナ３Ａが載置されるのであるが、この場合、上段の大型の折り畳みコンテナ３Ａの大底板１Ａの外周部に形成された環状をした嵌め込み溝部２２Ａがはめ込まれて横ずれしないようになっている。
【００２４】
小型の折り畳みコンテナ３ａは、図２０乃至図２４に示すようなもので、矩形状の小底板１ａの対向する一対の辺にそれぞれ一対の第１の側板２ａを回動自在に取付け、対向する他の一対の辺に一対の第２の側板２ｂを回動自在に取付け、一対の第１の側板２ａを倒した上に一対の第２の側板２ｂを倒した状態で折り畳み且つ一対の第２の側板２ｂを起立させた後に一対の第１の側板２ａを起立させて箱状に組み立てるように構成してある。小型の折り畳みコンテナ３ａの一対の第１の側板２ａと一対の第２の側板２ｂとを起立させて箱状に組み立てた状態で、隣接する第１の側板２ａの端部と第２の側板２ｂの端部とは任意の接合手段により係脱自在に連結されて箱状に組み立てた状態を保持することができるようになっている。
【００２５】
ここで、上記小型の折り畳みコンテナ３ａの小底板１ａは一辺が大型の大底板１Ａの短辺と同一長さ又は略同一長さとなっていると共に小底板１ａの他辺が大底板１Ａの長辺の１／Ｎ又は略１／Ｎ（ここでＮは２以上の整数）となっている。添付図面に示す実施形態において、矩形状の小底板１ａが長方形状をしている例であり、小底板１ａの長辺と大底板１Ａの短辺とが同一長さ又は略同一長さとなっていると共に小底板１ａの短辺が大底板１Ａの１／２（つまりＮが２）となっており、また、第１の側板２ａが長辺側の側板で第２の側板２ｂが短辺側の側板である例で示している。もちろん、矩形状の小底板１ａが正方形であってもよいものであり、また、矩形状の小底板１ａの短辺が大底板１Ａの１／３、１／４……であってもよいものである。
【００２６】
小底板１ａの四隅部分には上方に向けて支持突部４Ａが突設してあり、この支持突部４Ａの上端は小型の折り畳みコンテナ３ａを折り畳んだ状態において上段となる側板よりも上に位置している。支持突部４ａの上端面部の内外方向の略中間部分には平面視Ｌ字状をした嵌め込み突起６ａ1が突設してある。
【００２７】
また、図２４に示すように長方形状の小底板１ａの下面部には下面の全外周に沿って環状をした外周垂下片２０ａを設けると共に小底板１ａの下面の外周より少し内側に引き込んだ位置に内周突出部２１ａを設けてあって、外周垂下片２０ａと内周突出部２１ａとに囲まれた部分が小底板１ａの全外周にわたる環状をした嵌め込み溝部２２ａとなっていている。ここで添付図面に示す実施形態においては、小底板１ａの下面の嵌め込み溝部２２ａに囲まれた部分が下方に突出した突出底部１３ａとなっていてこの突出底部１３ａの周縁部が上記内周突出部２１ａを構成している。突出底部１３ａの各４隅部が載置部５ａを構成している折り畳んだ状態の小型の折り畳みコンテナ３ａ同士を上下に重ねた場合、下段の小型の折り畳みコンテナ３ａの四隅部に設けた支持突部４ａ上面に突設した嵌め込み突起６ａ１に上段の小型の折り畳みコンテナ３ａの小底板１ａの底面部外周の嵌め込み溝部２２ａがはめ込まれて横ずれを防止し、また、支持突部４ａの上面に上段の小型の折り畳みコンテナ３ａの小底板１ａの底面部の四隅部の載置部５ａが載置されて荷重を支持するようになっている。
【００２８】
小型の折り畳みコンテナ３ａの一対の長辺側の側板２ａと一対の短辺側の側板２ｂとを起立させて箱状に組み立てた状態で、隣接する長辺側の側板２ａの端部と短辺側の側板２ｂの端部とは任意の接合手段により係脱自在に連結されて箱状に組み立てた状態を保持することができるようになっている。また、長辺側の側板２ａの上面部の全長及び短辺側の側板２ｂの上面部の略全長にはそれぞれ上面部の内面側に片寄って上方に向けて突条７ａ、７ｂが突設してある。上記短辺側の側板２ｂの上面部に設けた突条７ｂの両端部は平面視Ｌ状をしている。そして、起立状態で長辺側の側板２ａの上端面部に設けた突条７ａの両端部が短辺側の側板２ｂの上端面部に設けた突条７ｂの端部のＬ状の先端部に当接して突条７ａ、７ｂが平面視で箱状の大型の折り畳みコンテナ３Ａのコーナ部分においてＬ状に連続するようになっている。
【００２９】
小型の折り畳みコンテナ３ａを箱状に組み立てた状態で上下に積み重ねた場合、下段の小型の折り畳みコンテナ３ａの上開口部に上段の小型の折り畳みコンテナ３ａが載置されるのであるが、この場合、上段の小型の折り畳みコンテナ３ａの小底板１ａの外周部に形成された環状をした嵌め込み溝部２２ａがはめ込まれて横ずれしないようになっている。
【００３０】
上記のような構成の大型の折り畳みコンテナ３Ａ、小型の折り畳みコンテナ３ａを用いて、組み立てた状態の大型の折り畳みコンテナ３Ａ及び組み立てた状態の小型の折り畳みコンテナ３ａ内にそれぞれ収納物を収納して搬送したり、収納物を保管したりするのである。そして、収納物を入れない状態では大型の折り畳みコンテナ３Ａ、小型の折り畳みコンテナ３ａをそれぞれ折り畳んで搬送したり、あるいは保管したりするものである。
【００３１】
ここで、大型の折り畳みコンテナ３Ａ、小型の折り畳みコンテナ３ａをそれぞれ折り畳んだ状態で搬送したり、保管したりするに当たり、本発明においては、図７、図８に示すように、折り畳んだ大型の折り畳みコンテナ３Ａの上に複数の小型の折り畳みコンテナ３ａを並べて載置して積み重ねることができるようになっている。すなわち、折り畳み状態の大型の折り畳みコンテナ３Ａの上面に複数の小型の折り畳みコンテナ３ａを載置すると共に大底板１Ａの少なくとも四隅部分及び長辺に突設した支持突部４Ａに複数の小型の折り畳みコンテナ３ａの小底板１ａの少なくとも４隅部分を載設支持するものである。この場合、大型の折り畳みコンテナ３Ａの短辺側に該短辺と同じ長さ又は略同じ長さをした小型の折り畳みコンテナ３ａの一辺が平行となるように小型の折り畳みコンテナ３ａを大型の折り畳みコンテナ３Ａ上に複数並べるものであり、これにより大型の折り畳みコンテナ３Ａと複数の小型の折り畳みコンテナ３ａとが同一大きさに収まって積み重ねられるようになっている。
【００３２】
ここで、図１２に示すように複数の小型の折り畳みコンテナ３ａの各小底板１ａの下面部の四隅部分に設けた小底板１ａの外周部に形成された環状をした嵌め込み溝部２２ａが、支持突部４Ａの嵌め込み突起６Ａ1、６Ａ2に係合するものであって、大型の折り畳みコンテナ３Ａの上に複数の小型の折り畳みコンテナ３ａを並べて載置した場合に、複数の小型の折り畳みコンテナ３ａがずれないように積載できていっそう安定して混載できるようになっている。
【００３３】
上記のようにして大型の折り畳みコンテナ３Ａの上に複数の小型の折り畳みコンテナ３ａを並べて載置した場合、小型の折り畳みコンテナ３ａ同士が隣接する箇所においては、隣接する小型の折り畳みコンテナ３ａの小底板１ａの外周部に形成された環状をした嵌め込み溝部２２ａの外側に位置する外周垂下片２０ａがそれぞれ大底板１Ａの長辺に突設した支持突部４Ａ2は上端部両側に突設した嵌め込み突起６Ａ2間の隙間６Ａ3に嵌め込まれることで、外周垂下片２０ａを設けて大型の折り畳みコンテナ３Ａに対して小型の折り畳みコンテナ３ａを積み重ねた状態で横ずれを防止するようにしたにもかかわらず、外周垂下片２０ａを隙間６Ａ3で逃がして確実に折り畳んだ状態で積み重ねることができるようにしてある。
【００３４】
また、前述のように、支持突部４Ａの上端部が大型の折り畳みコンテナ３Ａの折り畳み状態における上段の側板よりも上方に突出するように構成してあるので、大型の折り畳みコンテナ３Ａの上に複数の小型の折り畳みコンテナ３ａを載置するに当たって、大型の折り畳みコンテナ３Ａの折り畳んだ状態で上段となっている側板に複数の小型の折り畳みコンテナ３ａの荷重がかからないようにできるものであり、また、折り畳んだ状態における大型の折り畳みコンテナ３Ａの上に別の載置物を載置した場合にも大底板１Ａの少なくとも四隅部分及び長辺に上方に向けて支持突部４Ａにより支持して側板に荷重がかからないようにでき、これにより折り畳み状態の側板に荷重がかからずに側板の破損を防止するようになっている。
【００３５】
上記のように、大型の折り畳みコンテナ３Ａの上に複数の小型の折り畳みコンテナ３ａを並べて積載するのであるが、この場合、大型の折り畳みコンテナ３Ａ同士を多段に積載すると共に複数の大型の折り畳みコンテナ３Ａのうち任意の段数目の大型の折り畳みコンテナ３Ａの上に上記のように複数の小型の折り畳みコンテナ３ａを載置して積載してもよく、上記のようにして積載した複数の並設した小型の折り畳みコンテナ３ａの上に複数の小型の折り畳みコンテナ３ａを載設して積載してもよく、あるいは、複数の小型の折り畳みコンテナ３ａを並べた上に大型の折り畳みコンテナ３Ａを積載してもよいものである。
【００３６】
複数の小型の折り畳みコンテナを３ａを並べた上に大型の折り畳みコンテナ３Ａを載置して積載する場合、大型の折り畳みコンテナ３Ａの大底板１Ａの複数に分割された突出底部１３Ａの各４隅部の載置部５Ａがそれぞれ複数の小型の折り畳みコンテナ３ａの小底板１ａの四隅に突設した支持突部４ａに載置されて荷重が支持され、更に、複数の小型の折り畳みコンテナ３ａの小底板１ａの四隅に突設した支持突部４ａに突設した嵌め込み突起６ａ1が大底板１Ａの下面の嵌め込み溝部２２Ａと中間溝部１１に嵌め込まれ、これにより複数の並設した小型の折り畳みコンテナ３ａの上に大型の折り畳みコンテナ３Ａを載置した際に、大型の折り畳みコンテナ３Ａがずれないように安定して積載されることになる。
図９、図１３には大型の折り畳みコンテナ３Ａと複数の小型の折り畳みコンテナ３ａとの積載の各例を示しているがもちろん上記以外にも種々の積載形態が採用できるものである。
【００３７】
なお、折り畳んだ状態の大型の折り畳みコンテナ３Ａの上に箱状に組み立てた複数の小型の折り畳みコンテナ３ａを積載してもよい。この場合も前述のように折り畳んだ複数の小型の折り畳みコンテナ３ａを大型の折り畳みコンテナ３Ａの上に載設して積載するのと同じ状態で積載されるものである。
【００３８】
また、折り畳んだ状態の複数の小型の折り畳みコンテナ３ａを並設した上に大型の折り畳みコンテナ３Ａを載設してもよい。この場合も前述のように折り畳んだ大型の折り畳みコンテナ３Ａを折り畳んだ複数の小型の折り畳みコンテナ３ａの上に載設して積載するのと同じ状態で積載されるものである。
【００３９】
一方、大型の折り畳みコンテナ３Ａを箱状に組み立て、小型の折り畳みコンテナ３ａを箱状に組み立て、図１、図２に示すように箱状に組み立てた大型の折り畳みコンテナ３Ａの上に複数の小型の折り畳みコンテナ３ａを載置するように混載することもできる。この場合、小型の折り畳みコンテナ３ａは小底板１ａの大底板１Ａの短辺と同一長さ又は略同一長さとなっている辺を大底板１Ａの短辺と平行となるように配置して複数並べて大型の折り畳みコンテナ３Ａ上に載置するものである。
【００４０】
箱状に組み立てた大型の折り畳みコンテナ３Ａの上に小型の折り畳みコンテナ３ａを載置するに当たっては、例えば、図５（ａ）のように、大型の折り畳みコンテナ３Ａの長辺側の側板２Ａの上面の突条７Ａの長手方向の端部上に小型の折り畳みコンテナ３ａの小底板１ａの両側端部（つまり外周垂下片２０ａのコーナ部分）を載せた状態で小型の折り畳みコンテナ３ａを少し傾斜させ（突条７Ａに載置した側と反対側が上となるように傾斜させ）た状態で、図５（ａ）の矢印のように突条７Ａに沿ってスライドさせ、外周垂下片２０ａのコーナ部分が突条７Ａに設けた凹所２３Ａに落ち込んだ状態で、図５（ｂ）のように、小底板１ａの下面に設けた外周垂下片２０ａと内周突出部２１ａとの間の嵌め込み溝部２２ａを大型の折り畳みコンテナ３Ａの長辺側の側板２Ａの上端面の長手方向の１／Ｎの範囲に設けた突条７Ａと一方の短辺側の側板２Ｂの上端面に設けた突条７Ｂに嵌め込むものである。これにより、小型の折り畳みコンテナ３ａの１つが大型の折り畳みコンテナ３Ａの上に大型の折り畳みコンテナ３Ａの長辺方向、短辺方向に横ずれないように位置決めされた状態で大型の折り畳みコンテナ３Ａの所定位置に載設され、この場合更に、小型の折り畳みコンテナ３ａと大型の折り畳みコンテナ３Ａ同士との上記はめ合いにより大型の折り畳みコンテナ３Ａの開口が広がったり、狭まったりするのを防止して大型の折り畳みコンテナ３Ａ内に小型の折り畳みコンテナ３ａが落ち込まないようにしている。
【００４１】
同様にして図５（ｃ）のように別の小型の折り畳みコンテナ３ａを小底板１ａの下面に設けた外周垂下片２０ａのコーナ部分を大型の折り畳みコンテナ３Ａの突条７Ａ上に載置して図５（ｃ）の矢印のようにスライドさせ、凹所２３Ａに外周垂下片２０ａのコーナ部分が落ち込んだ状態で図５（ｄ）のように、小底板１ａの下面に設けた外周垂下片２０ａと内周突出部２１ａとの間の嵌め込み溝部２２ａを大型の折り畳みコンテナ３Ａの長辺側の側板２Ａの上端面の長手方向の１／Ｎの範囲に設けた別の突条７Ａと短辺側の他方の側板２Ｂの上端面に設けた突条７Ｂに嵌め込むものである。
【００４２】
ここで、凹所２３Ａには隣接する小型の折り畳みコンテナ３ａの小底板１ａの各外周垂下片２０ａのコーナ部分がそれぞれ隣接して嵌め込まれるものである。
【００４３】
なお、箱状に組み立てた大型の折り畳みコンテナ３Ａの上に複数個の小型の折り畳みコンテナ３ａをスライドして載置するに当たっては、図６（ａ）（ｂ）（ｃ）（ｄ）に示す順序で行ってもよいものである。
【００４４】
また、上記箱状に組み立てた状態での混載において、各小型の折り畳みコンテナ３ａの底部の突出底部１３ａが大型の折り畳みコンテナ３Ａの上開口部内に嵌り込むことで、大型の折り畳みコンテナ３Ａの長辺側の側板２Ａ、短辺側の側板２Ｂがそれぞれ内側に倒れるのを防止するとともに複数の小型の折り畳みコンテナ３ａがいっそうずれないようにしている。
【００４５】
ここで、箱状に組み立てた複数の並設した小型の折り畳みコンテナ３ａの上に大型の折り畳みコンテナ３Ａを載置してもよい。この場合、複数の並設した小型の折り畳みコンテナ３ａの各側板２ａ、２ｂの上端面に設けた突条７ａ、７ｂに大型の折り畳みコンテナ３Ａの大底板１Ａの下面部の嵌め込み溝部２２Ａ、中間溝部１１に嵌め込まれ（隣接する折り畳みコンテナ３ａの突条７ｂは中間溝部１１に嵌め込まれ）、大型の折り畳みコンテナ３Ａがずれないようになっている。
【００４６】
ところで、大型の折り畳みコンテナ３Ａの各側板の内面が起立状態で大底板１Ａに対して垂直となり且つ小型の折り畳みコンテナ３ａの各側板の内面が起立状態で小底板１ａに対して垂直となっている。しかして、底板と側板とが一体化されたコンテナにおいては型抜きのために側板に傾斜が設けられていてコンテナ内の内容量を十分に活用することができないが、上記のように各側板を起立状態で底板に対して垂直となるようにすることで、箱状に組み立てた状態における内容量を十分に活用して収納できるものである。
【００４７】
【発明の効果】
本発明の請求項１記載の発明にあっては、上述のように、小型の折り畳みコンテナの小底板の一辺を大型の折り畳みコンテナの大底板の短辺と同一長さ又は略同一長さとするとともに小底板の他辺を大底板の長辺の１／Ｎ又は略１／Ｎとし（ここでＮは２以上の整数）、小底板の大底板の短辺と同一長さ又は略同一長さとなった一辺が大底板の短辺と平行となるように位置させた状態で４側板を起立させて箱状に組み立てた大型の折り畳みコンテナの上に複数の小型の折り畳みコンテナを載置するので、箱状に組み立てた大型の折り畳みコンテナの上に複数の小型の折り畳みコンテナを横に並べて混載して搬送したり、保管できて、流通の簡素化が図れるものであり、しかも、小底板の下面の外周に沿って外周垂下片を設けると共に小底板の下面の外周より少し内側に引き込んだ位置に内周突出部を設け、大型の折り畳みコンテナの長辺側の側板の上端面部の長手方向を１／Ｎ又は略１／Ｎする位置に凹所を設け、小底板の下面に設けた外周垂下片と内周突出部との間の嵌め込み溝部を起立状態の大型の折り畳みコンテナの側板の上端部にはめ込むと共に、大型の折り畳みコンテナの長辺側の側板の上端部の凹所に隣接する小型の折り畳みコンテナの小底板の各外周垂下片のコーナ部分をそれぞれ隣接して嵌め込むので、箱状に組み立てた大型の折り畳みコンテナの上に複数の小型の折り畳みコンテナを混載するに当たって、大型の折り畳みコンテナの長辺側の側板の上端面に従来のようにスライドの支障となる複数のずれ防止用小突起を設けないので、小型の折り畳みコンテナの底部の両端部を大型の折り畳みコンテナの長辺側の側板の上端面に載せてスライドしてスムーズに載置できると共に、小底板の下面に設けた外周垂下片と内周突出部との間の嵌め込み溝部を起立状態の大型の折り畳みコンテナの側板の上端部にはめ込むと共に、大型の折り畳みコンテナの長辺側の側板の上端部の凹所に隣接する小型の折り畳みコンテナの小底板の各外周垂下片のコーナ部分をそれぞれ隣接して嵌め込むことで、小型の折り畳みコンテナを大型の折り畳みコンテナの長辺と平行な方向及び短辺と平行な方向のいずれの方向に対してもずれないように位置決めできるものである。したがって、箱状に組み立てた大型の折り畳みコンテナの上に複数の小型の折り畳みコンテナを横に隣接して載置する際に正確にずれないように位置決めして載設でき、混載後も長辺側及び短辺側にずれないようにできるものである。
【００４８】
また、請求項２記載の発明にあっては、上記請求項１記載の発明の効果に加えて、大型の折り畳みコンテナの大底板の少なくとも四隅部分及び長辺の両端間に上方に向けて支持突部を突設し、折り畳み状態の大型の折り畳みコンテナの上面に複数の小型の折り畳みコンテナを載置すると共に大底板の少なくとも四隅部分及び長辺の両端間に突設した支持突部に複数の小型の折り畳みコンテナの小底板を載設支持してあるので、折り畳んだ大型の折り畳みコンテナの上に複数の小型の折り畳みコンテナを積み重ねるとともに複数の各小型の折り畳みコンテナの小底板の四隅部分をそれぞれ大型の折り畳みコンテナの支持突部で支持できて、安定して支持して混載ができるものであり、大型の折り畳みコンテナと小型の折り畳みコンテナをそれぞれ折り畳んで搬送、保管する際、両者を混載して搬送、保管ができて流通の簡素化がはかれるものである。
【００４９】
また、請求項３記載の発明にあっては、上記請求項１又は請求項２記載の発明の効果に加えて、大型の折り畳みコンテナの各側板の内面が起立状態で大底板に対して垂直となり且つ小型の折り畳みコンテナの各側板の内面が起立状態で小底板に対して垂直となっているので、起立状態で側板が底板に対して傾斜したものに比べ、箱状に組み立てた状態における内容量を十分に活用して収納できるものである。
【図面の簡単な説明】
【図１】本発明の大型の折り畳みコンテナと小型の折り畳みコンテナをそれぞれ箱状に組み立てて混載した状態の斜視図である。
【図２】同上の分解斜視図である。
【図３】同上の正面図である。
【図４】同上の一部破断した断面図である。
【図５】（ａ）（ｂ）（ｃ）（ｄ）は同上の箱状に組み立てた状態の大型の折り畳みコンテナの上に複数の小型の折り畳みコンテナを載置する順序を示す説明図である。
【図６】（ａ）（ｂ）（ｃ）（ｄ）は同上の箱状に組み立てた状態の大型の折り畳みコンテナの上に複数の小型の折り畳みコンテナを載置する順序を示す他例の説明図である。
【図７】本発明の大型の折り畳みコンテナと小型の折り畳みコンテナをそれぞれ折り畳んで混載した状態の斜視図である。
【図８】同上の分解斜視図である。
【図９】同上の正面図である。
【図１０】同上の側面図である。
【図１１】同上の大型の折り畳みコンテナと小型の折り畳みコンテナとを折り畳んで積載した積載部分の断面図である。
【図１２】（ａ）は図５の左端部分の拡大断面図であり、（ｂ）は図５の中央部部分の拡大断面図である。
【図１３】同上の大型の折り畳みコンテナと小型の折り畳みコンテナとを折り畳んで混載した他の例を示す正面図である。
【図１４】同上に用いる大型の折り畳みコンテナの折り畳み状態の斜視図である。
【図１５】同上に用いる大型の折り畳みコンテナの折り畳み状態の平面図である。
【図１６】同上に用いる大型の折り畳みコンテナの折り畳み状態の正面図である。
【図１７】同上に用いる大型の折り畳みコンテナの箱状に組み立てた状態の斜視図である。
【図１８】同上に用いる大型の折り畳みコンテナの箱状に組み立てた状態の正面図である。
【図１９】同上に用いる大型の折り畳みコンテナの下面図である。
【図２０】同上に用いる小型の折り畳みコンテナの折り畳み状態の斜視図である。
【図２１】同上に用いる小型の折り畳みコンテナの折り畳み状態の正面図である。
【図２２】同上に用いる小型の折り畳みコンテナの箱状に組み立てた状態の斜視図である。
【図２３】同上に用いる小型の折り畳みコンテナの箱状に組み立てた状態の正面図である。
【図２４】同上に用いる小型の折り畳みコンテナの下面図である。
【図２５】本発明に至る過程で考えた大型の折り畳みコンテナの長辺側の側板に位置ずれ防止用突起を突設して小型の折り畳みコンテナの小底板の下面部に嵌め込み凹部をはめ込んだ状態の断面図である。
【図２６】同上の問題点を示す説明図である。
【符号の説明】
１Ａ  大底板
１ａ  小底板
２Ａ  長辺側の側板
２Ｂ  短辺側の側板
２ａ  一方の側板
２ｂ  他方の側板
３Ａ  大型の折り畳みコンテナ
３ａ  小型の折り畳みコンテナ
４Ａ  支持突部
４ａ  支持突部
２０ａ  外周垂下片
２１ａ  内周突出部
２２ａ  嵌め込み溝部
２３Ａ  凹所
【図１】
0004664536.tif 000002
【図２】
0004664536.tif 000003
【図３】
0004664536.tif 000004
【図４】
0004664536.tif 000005
【図５】
0004664536.tif 000006
【図６】
0004664536.tif 000007
【図７】
0004664536.tif 000008
【図８】
0004664536.tif 000009
【図９】
0004664536.tif 000010
【図１０】
0004664536.tif 000011
【図１１】
0004664536.tif 000012
【図１２】
0004664536.tif 000013
【図１３】
0004664536.tif 000014
【図１４】
0004664536.tif 000015
【図１５】
0004664536.tif 000016
【図１６】
0004664536.tif 000017
【図１７】
0004664536.tif 000018
【図１８】
0004664536.tif 000019
【図１９】
0004664536.tif 000020
【図２０】
0004664536.tif 000021
【図２１】
0004664536.tif 000022
【図２２】
0004664536.tif 000023
【図２３】
0004664536.tif 000024
【図２４】
0004664536.tif 000025
【図２５】
0004664536.tif 000026
【図２６】
0004664536.tif 000027